(57)【要約】      （修正有）【課題】光の取出し効率が向上し、平行なビーム光などの所望の配光が得られるとともに、薄形化または小形化が可能な発光装置およびこの発光装置を具備する照明器具を提供する。【解決手段】発光装置１は、平面状に設けられた半導体発光素子７を有する発光体２と、一端側３ａに発光体２が取り付けられ、他端側３ｂに口金１３を有する装置本体３と、装置本体３に収容され、口金１３を介して給電されて動作し半導体発光素子７を点灯する点灯装置４と、発光体２に正対する平面部３６および平面部３６の発光体２側に発光体２の発光面２ａよりも大きい領域となるように形成されたフレネルレンズ３６を有し、発光体２を覆うように装置本体３の一端側３ａに取り付けられた透光性の包囲体５とを具備する。【選択図】図２
2011253787.tif 000002
【特許請求の範囲】
【請求項１】
平面状に設けられた半導体発光素子を有する発光体と;
一端側に前記発光体が取り付けられ、他端側に口金を有する装置本体と；
この装置本体に収容され、前記口金を介して給電されて動作し前記半導体発光素子を点灯する点灯装置と；
前記発光体に正対する平面部およびこの平面部の前記発光体側に前記発光体の発光面よりも大きい領域となるように形成されたフレネルレンズを有し、前記発光体を覆うように装置本体の一端側に取り付けられた透光性の包囲体と；
を具備していることを特徴とする発光装置。
【請求項２】
包囲体は、平面部の縁部に起立した光拡散性を有する側壁部を備えており、当該側壁部が装置本体の一端側に取り付けられていることを特徴とする請求項１記載の発光装置。
【請求項３】
両端側に開口を有するとともに一端側から他端側に向かうにつれて次第に縮径する筒状の反射体を備え、この反射体は、他端側を前記発光体の半導体発光素子側とし、半導体発光素子の放射光が一端側開口から出射して包囲体のフレネルレンズに入射するように装置本体および包囲体の間に設けられていることを特徴とする請求項１または２記載の発光装置。
【請求項４】
包囲体の平面部は、光拡散性を有することを特徴とする請求項１ないし３いずれか一記載の発光装置。
【請求項５】
請求項１ないし４いずれか一記載の発光装置と；
この発光装置の口金が電気接続されるソケットを有する器具本体と；
を具備していることを特徴とする照明器具。
【発明の詳細な説明】
【技術分野】
【０００１】
半導体発光素子を光源とし、その放射光を照明に利用する発光装置および照明器具に関する。
【背景技術】
【０００２】
半導体発光素子としての発光ダイオードを光源とするＬＥＤランプには、発光ダイオードを覆うようにグローブやカバーなどの包囲体が配設されているとともに、薄形化が図られているものがある。この薄形化のＬＥＤランプとして、例えばＩＥＣ規格のＧＸ５３形の口金を有するＬＥＤランプが提案されている（例えば特許文献１参照。）。
【０００３】
また、ＬＥＤランプには、発光ダイオードの放射光の配光を制御しているものがある。この配光制御は、例えば個々の発光ダイオード素子またはＬＥＤチップに例えば円錐台状の反射板やレンズを設けて行っている。レンズは、例えば凸レンズが用いられている（例えば特許文献２参照。）。
【先行技術文献】
【特許文献】
【０００４】
【特許文献１】特開２００７−１５７６９０号公報（第３−４頁、第１図）
【特許文献２】特開２００７−２５８１１４号公報（第４頁、第２図）
【発明の概要】
【発明が解決しようとする課題】
【０００５】
ＬＥＤランプは、その包囲体に透明色や乳白色の材料を使用したり、例えばプリズム加工により光拡散性を有するようにして、用途に応じた光の取り出しを行っている。ここで、透明色の包囲体は、発光ダイオードの放射光がぎらつき、グレア光となるおそれがある。また、光拡散性を有する包囲体は、包囲体での乱反射により発光ダイオードの放射光の一部が包囲体から出射されず、包囲体から出射された拡散光の一部が漏れ光となって被照射面に照射されず、これにより、被照射面に対する放射光の取出し効率が低下するという欠点を有する。
【０００６】
また、ビーム状の照明光などの所望の配光を得るために、発光ダイオード素子やＬＥＤチップの個々に反射板や凸レンズを設けると、ＬＥＤランプのコストが上昇するという欠点を有し、また、包囲体の高さ寸法が大きくなることがあり、ＬＥＤランプを薄形化や小形化しにくいことがあった。
【０００７】
本発明は、光の取出し効率が向上し、平行なビーム光などの所望の配光が得られるとともに、薄形化または小形化が可能な発光装置およびこの発光装置を具備する照明器具を提供することを目的とする。
【課題を解決するための手段】
【０００８】
本発明の実施形態の発光装置は、発光体、装置本体、点灯装置および包囲体を有して構成される。
【０００９】
発光体は、例えば、基板、この基板の一面（一方の面）側に設けられた半導体発光素子を有して形成される。半導体発光素子は、発光ダイオード（ＬＥＤ）や有機エレクトロルミネセンス（ＥＬ）素子などである。基板は、合成樹脂または金属のいずれであってもよく、金属の場合、絶縁層が形成され、当該絶縁層上に半導体発光素子が設けられる。
【００１０】
装置本体は、一端側に発光体が取り付けられるとともに、他端側にＧＸ５３形またはＥ形などの口金を有して形成される。口金の形状は、前記のＧＸ５３形またはＥ形のものに限られるものではない。発光体は、半導体発光素子の放射光が装置本体の外部に出射されるように、一端側に取り付けられる。一端側は、平面状に形成されてもよく、開口を有する箱状に形成されてもよく、後者の場合には開口内に発光体を設けてもよい。
【００１１】
また、装置本体は、その全体が樹脂で形成されてもよく、口金と電気絶縁して金属で形成されてもよい。樹脂、金属のいずれの場合でも、放熱性が大きいほど好ましい。
【００１２】
点灯装置は、装置本体に収容され、電気的関係においては、その入力側が装置本体の口金に接続され、その出力側が発光体の半導体発光素子に接続される。点灯装置は、口金を介して外部から例えば商用電源が給電されると、動作し、所望の電力に変換し、半導体発光素子を安定に点灯するように形成される。
【００１３】
包囲体は、グローブやカバーなどを総称し、発光体を覆うように装置本体の一端側に取り付けられる。そして、包囲体は、透光性であって発光体に正対する平面部を有してなり、この平面部の発光体側に発光体の発光面よりも大きい領域となるようにフレネルレンズが形成されている。ここで、包囲体は、平面部の縁部に外周に沿って起立する光拡散性を有する側壁部が設けられ、当該側壁部が装置本体の一端側に取り付けられてもよい。また、平面部は、光拡散性を有してもよい。
【００１４】
また、装置本体および包囲体の間には、半導体発光素子を収容し、半導体発光素子の放射光をフレネルレンズに出射する筒状の反射体を設けてもよい。
【発明の効果】
【００１５】
本発明によれば、発光装置は、包囲体の平面部に発光体の発光面よりも大きい領域に形成されたフレネルレンズを有するので、半導体発光素子の放射光をフレネルレンズで例えば平行なビーム光などの所望の配光にして包囲体から放射することができ、被照射面における前記放射光の取出し効率を向上することができる。また、フレネルレンズにて半導体発光素子の放射光の配光制御を行い、半導体発光素子に個別に反射板やレンズを設けないので、発光体と包囲体の平面部との間隔が大きくなることを抑制可能であり、これにより、発光装置の小形化、薄形化が可能となる。
【図面の簡単な説明】
【００１６】
【図１】本発明の実施例１を示す発光装置であり、（ａ）は概略正面図、（ｂ）は概略下面図。
【図２】同じく、発光装置の概略縦断面図。
【図３】本発明の実施例２を示す発光装置の概略縦断面図。
【図４】本発明の実施例３を示す発光装置の概略縦断面図。
【図５】本発明の実施例４を示す発光装置の概略正面図。
【図６】同じく、発光装置の概略縦断面図。
【図７】本発明の実施例５を示す照明器具の概略斜視図。
【図８】同じく、照明器具の一部切り欠き概略正面図。
【図９】本発明の実施例６を示す照明器具の一部切り欠き概略正面図。
【発明を実施するための形態】
【００１７】
以下、本発明の一実施の形態について、図面を参照して説明する。
【実施例１】
【００１８】
図１および図２は、本発明の実施例１を示す発光装置であり、図１（ａ）は概略正面図、図１（ｂ）は概略下面図、図２は概略縦断面図である。
【００１９】
図２において、発光装置１は、発光体２、装置本体３、点灯装置４および包囲体５を有して構成されている。
【００２０】
発光体２は、平板状の基板６、この基板６の一面６ａに複数個が設けられた半導体発光素子としてのＬＥＤチップ７およびＬＥＤチップ７を覆う封止樹脂８を有して形成されている。基板６は、例えばアルミニウム（Ａｌ）板からなり、略円形状に形成されて、一面６ａに図示しない絶縁層を介してＬＥＤチップ７を実装し、図示しない配線パターンを形成している。ＬＥＤチップ７は、配線パターンにより直列接続されている。また、基板６の一面６ａには、コネクタ９が配設されており、このコネクタ９に点灯装置４の出力コード１０が接続されている。
【００２１】
ＬＥＤチップ７は、平板状の基板６の一面６ａに実装されることにより、平面状に設けられているとともに、その複数個が例えば同心円上に略等間隔で実装されている。ＬＥＤチップ７は、例えば青色光を放射する。そして、基板６の一面６ａには、複数個のＬＥＤチップ７を包囲して、例えばシリコーン樹脂の土手１１が円形状に形成されている。この土手１１の内側に封止樹脂８が充填されて、ＬＥＤチップ７が埋められている。封止樹脂８の外表面は、平坦状に形成されている。
【００２２】
封止樹脂８は、透光性の例えばシリコーン樹脂であり、図示しない黄色蛍光体が混入されている。当該黄色蛍光体は、ＬＥＤチップ７から放射された青色光が入射されると、青色光を黄色光に波長変換する。この黄色光と、ＬＥＤチップ７から放射された青色光が封止樹脂８の外表面から出射し混色（混光）することにより、発光体２から白色光が放射される。封止樹脂８の外表面は、発光体２の発光面２ａとなっている。
【００２３】
装置本体３は、一端側３ａが光源部１２、他端側３ｂがＧＸ５３形の口金としての口金部１３にそれぞれ構成されている。光源部１２は、例えばアルミダイキャストによって成型され、口金部１３よりも径大であり、開口部１４を有する有底の略円筒に形成されている。そして、平面状の取付部（底面部）１２ａの中央部に発光体２の基板６の他面６ｂを例えば接着材により固着している。すなわち、光源部１２は、ＬＥＤチップ７の放射光が開口部１４から光源部１２の外方に出射されるように発光体２を配設していて、発光体２が取り付けられる取付部となっている。
【００２４】
光源部１２の側壁部１２ｂの外周面１２ｃには、図１（ａ）に示すように、外周方向を短幅とする略長方形の凹部１５が外周方向に亘って略等間隔で形成されている。凹部１５の最大深さは、例えば側壁部１２ｂの肉厚の約１／２となっている。凹部１５は、側壁部１２ｂの外周面１２ｃの表面積を大きくするものであり、ＬＥＤチップ７に発生した熱を外部空間に放熱させやすくする放熱手段の役目を果たすものである。すなわち、側壁部１２ｂの外周面１２ｃは、ローレット構造の放熱部を有している。
【００２５】
図２において、口金部１３は、ＩＥＣ規格のＧＸ５３形の口金構造に形成されたものであり、口金部本体１６、突出部１７および一対の接続ピン１８，１８を有して形成されている。
【００２６】
口金部本体１６および突出部１７は、ポリブチレンテレフタレート（ＰＢＴ）樹脂などの合成樹脂により、それぞれ平坦状の上面１６ａ，１７ａを有する円筒状に一体成型されている。突出部１７は、口金部本体１６の上面１６ａの中央部において装置本体３の他端側３ｂの方向に突出されていて、図示しない周知のソケット装置の挿通孔に挿入可能な大きさに形成されている。
【００２７】
一対の接続ピン１８，１８は、例えば黄銅からなり、口金部本体１６の上面１６ａに形成された図示しない孔に嵌入されて上面１６ａに突出して設けられているとともに、突出部１７に隣接しかつ突出部１７を挟み１８０°回転対称の位置に設けられている。接続ピン１８，１８の先端部は、径大に形成されている。
【００２８】
そして、一対の接続ピン１８，１８は、口金部本体１６の内部において、点灯装置４の入力端子１９に接続されている入力線２０，２０が例えばラッピングにより接続されている。一対の接続ピン１８，１８は、図示しないソケット装置の一対の受金に電気接続されるものである。
【００２９】
また、口金部本体１６の上面１６ａの反対側の内面１６ｂには、複数個の円柱体２１が突出形成されている。この円柱体２１は、口金部本体１６の周回方向において例えば１２０°間隔で３個設けられている。そして、円柱体２１には、図示しないねじ孔が形成されており、光源部１２の取付部１２ａから絶縁部材２２を介してねじ２３がねじ孔に螺着されている。これにより、光源部１２は、その取付部１２ａの反対側の外面（上面）１２ｅが口金部本体１６に当接し、口金部１３と一体化している。
【００３０】
絶縁部材２２は、例えばポリブチレンテレフタレート（ＰＢＴ）樹脂からなり、平坦状の底板部２２ａを有する皿状に形成されている。絶縁部材２２は、光源部１２と口金部１３とを強固に連結させるとともに、金属製の光源部１２と、点灯装置４、一対の接続ピン１８，１８および入力線２０，２０等とを絶縁させる役目を果たすものである。光源部１２の取付部１２ａおよび絶縁部材２２の底板部２２ａには、それぞれねじ２３を挿通させる図示しない孔が形成されている。また、同じく、点灯装置４の出力端子２４と発光体２のコネクタ９を接続する出力コード１０を挿通させる孔２５，２６が形成されている。
【００３１】
こうして、装置本体３は、一端側３ａに発光体２が取り付けられる光源部１２および他端側３ｂにＧＸ５３形の口金としての口金部１３を一体化して形成されている。
【００３２】
点灯装置４は、回路基板２７およびこの回路基板２７に実装された点灯回路部品を有して形成されている。回路基板２７は、例えばガラスエポキシ材からなり、略円形状に形成され、一方の面２７ａに抵抗Ｒ１、電解コンデンサＣ１，Ｃ２、トランスＴ１など、多種類かつ多数の電子部品等からなる点灯回路部品を実装している。
【００３３】
また、回路基板２７は、その一方の面２７ａに入力端子１９および出力端子２４を配設している。入力端子１９には、先述したように、装置本体３の一対の接続ピン１８，１８に電気接続される入力線２０，２０が接続されており、この入力線２０，２０を介して外部電源の交流電圧（例えばＡＣ１００Ｖ）が点灯装置４に入力される。また、出力端子２４は、先述したように、発光体２のコネクタ９に接続される出力コード１０を接続している。
【００３４】
こうして、点灯装置４は、点灯回路部品によりＬＥＤチップ７を点灯する点灯回路２８が形成されている。すなわち、入力線２０，２０を介して外部電源が給電されると動作し、外部電源の交流電圧を整流平滑し、所定の直流電圧に変換して、出力コード１０を介してＬＥＤチップ７に定電流を供給するように形成されている。
【００３５】
そして、点灯装置４は、装置本体３の突出部１７に収容されている。すなわち、装置本体３は、その突出部１７の上面１７ａの反対側の内面１７ｂに、起立片２９および係止爪３０ａを有する起立片３０が形成されている。点灯装置４の回路基板２７は、その一方の面２７ａ側が起立片３０の係止爪３０ａに係止された状態で、起立片２９，３０により挟持されている。
【００３６】
包囲体５は、装置本体３の一端側３ａに設けられた光源部１２の開口部１４側に取り付けられている。包囲体５は、透光性を有する例えばポリカーボネート（ＰＣ）樹脂にて略盃状に成型されたものであり、平面部３１、傾斜部３２、側壁部３３および一対の係止片３４，３４に形成されている。
【００３７】
平面部３１は、円形状であって、その外面３１ａおよび内面３１ｂがそれぞれ平面状に形成されている。傾斜部３２は、平面部３１の縁部（外周縁）にその周回に亘って連設するとともに平面部３１の内面３１ｂ側に幾分傾斜するように形成されている。そして、側壁部３３は、傾斜部３２の縁部（外周縁）にその周回に亘って連設するとともに平面部３１に対してほぼ直角に起立するように形成されている。すなわち、側壁部３３は、傾斜部３２を介して平面部３１の縁部にその外周に沿ってほぼ直角に起立しているものである。
【００３８】
一対の係止片３４，３４は、側壁部３３の１８０°回転対称の位置において側壁部３３に連設し平面部３１に対してほぼ直角に起立して設けられ、先端側に互いに遠ざかる爪部３４ａ，３４ａを有している。そして、包囲体５は、側壁部３３が光源部１２の開口部１４側の外周面１２ｃを嵌め込み、係止片３４の爪部３４ａが光源部１２の側壁部１２ｂの内面１２ｄに形成された係止凹部３５に係止して、光源部１２に取り付けられている。すなわち、包囲体５は、その側壁部３３が一対の係止片３４，３４によって装置本体３の一端側３ａである光源部１２に取り付けられている。こうして、包囲体５は、その平面部３１が発光体２に正対し、装置本体３の開口部１４を閉塞し、光源部１２と一体化して発光体２を覆っている。
【００３９】
そして、平面部３１の発光体２側である内面３１ｂには、フレネルレンズ３６が形成されている。フレネルレンズ３６は、平面部３１の円形状の中心３１ｃから外側に向かって複数個が同心円状に形成され、その形成領域３６ｄが発光体２の発光面２ａよりも可能な限り大きくなるように形成している。また、発光体２からの放射光が主として平面部３１から所望の配光例えば平行なビーム光Ａとなって放射されるように、フレネルレンズ３６の形状を平面部３１の円形状の中心３１ｃから外側に向かってつれ、漸次異ならせている。フレネルレンズ３６は、切削加工または型材による成型などによって形成することができる。
【００４０】
また、傾斜部３２、側壁部３３および一対の係止片３４，３４のそれぞれの内面には、凹凸３７が形成されている。この凹凸３７は、小さな形状で密となるように形成されている。また、傾斜部３２および側壁部３３においては、それらの周回に亘って形成されている。凹凸３７は、発光体２から放射された光のうち、自身に入射した光を光拡散させる。すなわち、傾斜部３２、側壁部３３および一対の係止片３４，３４は、光拡散性を有するように形成されている。
【００４１】
また、傾斜部３２の外面３２ａには、複数個の突起３８が形成されている。この突起３８は、図１（ｂ）に示すように、１８０°回転対称に形成されている。突起３８は、包囲体５を手で光源部１２に嵌め込ませるときの滑り止めとして機能するものである。
【００４２】
次に、本発明の実施例１の作用について述べる。
【００４３】
装置本体３の突出部１７が図示しないソケット装置の挿通孔に挿入され、一対の接続ピン１８，１８がソケット装置の接続孔に挿入されて、装置本体３が回動されることにより、一対の接続ピン１８，１８がソケット装置の一対の受金に電気接続される。これにより、点灯装置４は、ソケット装置を介して外部電源が供給可能となる。
【００４４】
外部電源が投入されると、点灯装置４に一対の接続ピン１８，１８および入力線２０，２０を介して外部電源の交流電圧（例えばＡＣ１００Ｖ）が入力する。点灯装置４は、その点灯回路２８が動作して、出力コード線１０を介して発光体２に定電流を供給する。これにより、ＬＥＤチップ７は、点灯し、発光体２から白色光が放射される。当該放射光は、包囲体５の平面部３１の内面３１ｂ側に形成されたフレネルレンズ３６により平面部３１の円形状の中心３１ｃ側の方向に屈折され、図２に示すように、主として例えば平行なビーム光Ａとなって包囲体５の前面側に出射する。出射光は、外方の被照射面や被照射物などを所望の配光で照明する。
【００４５】
また、発光体２の放射光の一部（漏れ光）は、包囲体５の傾斜部３２、側壁部３３および一対の係止片３４，３４に入射する。傾斜部３２、側壁部３３および一対の係止片３４，３４の内面は、凹凸３７に形成されているので、当該入射光は、凹凸３７により光拡散されて、傾斜部３２および側壁部３３から拡散光となって外方に放射される。この拡散光により、スパイク状の配光が低減され、人に対するグレアが低減される。
【００４６】
フレネルレンズ３６は、発光体２に正対し、発光体２の発光面２ａよりも大きい領域となるように形成されているので、フレネルレンズ３６を適宜の形状にすることにより、発光体２の放射光を所望のビーム角に屈折させて、包囲体５から所望の配光の放射光を放射可能である。ここで、発光体２の発光面２ａは、可能な限り小さくし、フレネルレンズ３６の形成領域３６ｄは、可能な限り大きくし、また、発光体２およびフレネルレンズ３６の間隔（距離）は、大きくするほど、フレネルレンズ３６で発光体２からの放射光を所望の配光に制御（屈折）しやすいが、包囲体５から放射される光量や装置本体３の光源部１２および包囲体５の薄形化などを考慮して適宜設定すればよい。そして、装置本体３の光源部１２は、発光体２の発光面２ａの大きさが図２に示すよりも小さくなるときには、口金部１３と同径の略筒状に形成可能である。
【００４７】
上述したように、本実施形態の発光装置１は、発光体２に正対する平面部３１の内面３１ｂ側に発光体２の発光面２ａよりも大きい領域に形成されたフレネルレンズ３６を有する透光性の包囲体５を具備するので、発光体２の放射光を主として包囲体５の前面側に放射させることができ、照射面（照射領域）に対する発光体２の放射光の取出し効率を向上できるとともに、所望の配光を得ることができるという効果を奏する。
【００４８】
また、包囲体５の傾斜部３２、側壁部３３および一対の係止片３４，３４は、凹凸３７により光拡散性を有するので、傾斜部３２および側壁部３３から放射されるグレア光を低減することができるとともに、装置本体３の光源部１２の内部を見えにくくすることができる。すなわち、光源部１２内に設けられる発光体２、ねじ２２、コネクタ９、出力コード１０などを見えにくくなり、発光装置１のランプイメージを向上することができる。
【００４９】
そして、発光体２の放射光の制御は、包囲体５の平面部３１の内面３１ｂ側に形成されたフレネルレンズ３６で行うので、包囲体５の高さ寸法を抑制することができて、包囲体５を薄形化することができる。これにより、発光装置１の全体を薄形化することができる。また、フレネルレンズ３６が包囲体５の平面部３１の内面３１ｂ側に形成されることにより、発光装置１の外観が損なわれることを防止できるという効果を有する。
【００５０】
なお、包囲体５は、酸化チタン（ＴｉＯ２）やシリカ（ＳｉＯ２）などの光拡散性微粒子が混入されている透光性の合成樹脂例えばポリカーボネート（ＰＣ）樹脂で形成されてもよい。包囲体５は、光拡散性を有するので、傾斜部３２、側壁部３３および一対の係止片３４，３４に凹凸３７を形成しなくすることができる。ここで、光拡散性は、フレネルレンズ３６による色むらを低減できる程度のものであればよい。
【００５１】
また、発光体２は、基板６を用いて形成したが、基板６を用いずに、ＬＥＤチップ７を光源部１２の取付部１２ａに設けるようにして形成してもよい。すなわち、光源部１２の取付部１２ａを基板として用いてもよい。この場合、光源部１２は、金属であるので、取付部１２ａに絶縁層が形成され、この絶縁層上にＬＥＤチップ７などが実装される。
【実施例２】
【００５２】
図３は、本発明の実施例２を示す発光装置の概略縦断面図である。なお、図２と同一部分には、同一符号を付して説明は省略する。
【００５３】
図３に示す発光装置３９は、図２に示す発光装置１において、装置本体３の光源部１２の取付部１２ａと包囲体５の平面部３１との間に、反射体４０が設けられたものである。また、包囲体５の傾斜部３２、側壁部３３および一対の係止片３４，３４に凹凸３７を形成しないものである。
【００５４】
反射体４０は、例えばアルミニウム（Ａｌ）からなり、一端側４０ａに開口４１ａおよび他端側４０ｂに開口４１ｂを有するとともに、一端側４０ａから他端側４０ｂに向かうにつれて次第に縮径する円錐台の筒状に形成されている。そして、一端側開口４１ａは、包囲体５の平面部３１に形成されたフレネルレンズ３６の形成領域３６ｄを内包可能な大きさに形成され、他端側開口４１ｂは、発光体２、出力コード１０、孔２５，２６およびねじ２２などを内包可能な大きさに形成されている。また、反射体４０は、他端側４０ｂの外周縁が光源部１２の取付部１２ａに当接しているときに、一端側４０ａの外周縁が平板部３１の内面３１ｂすなわちフレネルレンズ３６に近接または直近するような大きさに形成されている。すなわち、反射体４０は、発光体２の放射光の全光量（ほぼ全光量）を入射し、入射した光をフレネルレンズ３６の形成領域３６ｄのほぼ全域に照射可能に形成されていればよいものである。
【００５５】
反射体４０は、他端側４０ｂの外周縁を光源部１２の取付部１２ａに当接した状態で、他端側４０ｂの外周面４０ｃに例えばシリコーン樹脂の接着材４２が塗布され、光源部１２の取付部１２ａに固着されている。すなわち、反射体４０は、その他端側４０ｂを発光体２側としていて、発光体２は、反射体４０の他端側４０ｂに収容されている。そして、反射体４０の内面４０ｄは、白色反射面に形成されている。
【００５６】
次に、本発明の実施例２の作用について述べる。
【００５７】
発光体２の発光面２ａから放射された光は、主として、直接光となって包囲体５のフレネルレンズ３６に入射する。そして、発光面２ａから放射された光の一部は、発光面２ａから広がるように放射され、反射体４０の内面４０ｄで反射されて、フレネルレンズ３６に入射する。フレネルレンズ３６には、発光体２の放射光のほぼ全光量が入射される。そして、フレネルレンズ３６は、発光体２の放射光が所望の配光を形成するように当該放射光を屈折させる。
【００５８】
本実施形態の発光装置３９は、他端側４０ｂを発光体２のＬＥＤチップ７側として他端側４０ｂに発光体２を収容し、発光体２の放射光が一端側開口４０ａから出射してフレネルレンズ３６に入射するように装置本体３および包囲体５の間に設けられた筒状の反射体４０を備えるので、発光体２の放射光のほぼ全光量を所望の配光で照射面（照射領域）に放射することができて、照射面（照射領域）における発光体２の放射光の取出し効率がより向上するという効果を有する。
【００５９】
また、発光体２の放射光は、反射体４０が設けられていることにより、包囲体５の傾斜部３２および側壁部３３から放射されないので、発光体２の放射光のグレア光を低減することができる。
【００６０】
なお、反射体４０は、装置本体３の光源部１２に固定しなくてもよいものである。すなわち、例えば、光源部１２の取付面１２ａに、反射体４０の取付面１２ａ側での移動を規制する土手や壁等の規制物を設けるとともに、一端側４０ａの外周縁が包囲体５の平板部３１の内面３１ｂに当接するときに他端側４０ｂの外周縁が光源部１２の取付部１２ａに近接し、他端側４０ｂの外周縁が光源部１２の取付部１２ａに当接するときに一端側４０ａの外周縁が平板部３１の内面３１ｂに近接して、所定のクリアランスで移動可能にしてもよい。
【００６１】
また、反射体４０は、円錐台の筒状に形成したが、これに限らず、任意の筒状に形成されていてもよい。すなわち、発光体２の放射光のうち、反射体４０で反射される光量は、フレネルレンズ３６に直接的に入射する光量に比べて非常に小さいので、筒状の形状の相違による配光の変化は極めて小さいものである。しかしながら、反射体４０は、例えば正角錐状など、回転対称に形成されるのが好ましい。
【００６２】
また、反射体４０は、金属に限らず、合成樹脂で形成してもよい。この場合、合成樹脂は、光反射性を有し、かつ非透光性を有しまたは非透光性の反射膜が塗布されるものであればよい。また、合成樹脂は、放熱性を有するのが好ましい。合成樹脂としては、例えば、ポリＡＳＡ樹脂（ポリカーボネート樹脂とＡＳＡ樹脂の混合物）を用いることができる。
【００６３】
なお、半導体発光素子としてのＬＥＤチップ７を光源部１２の取付部１２ａに絶縁層を介して実装して発光体を形成する場合においても、反射体４０は、その他端側４０ｂの外周縁が取付部１２ａに接着材４２により固着されるなどして設けられ、その他端側４０ｂが発光体２のＬＥＤチップ７側とされる。この場合、反射体４０の他端側４０ｂにＬＥＤチップ７が収容されている。
【実施例３】
【００６４】
図４は、本発明の実施例３を示す発光装置の概略縦断面図である。なお、図２と同一部分には、同一符号を付して説明は省略する。
【００６５】
図４に示す発光装置４３は、図２に示す発光装置１において、包囲体５に換えて包囲体４４が装置本体３の光源部１２に取り付けられたものである。包囲体４４は、酸化チタン（ＴｉＯ２）やシリカ（ＳｉＯ２）などの光拡散性微粒子が混入されている透光性の合成樹脂例えばポリカーボネート（ＰＣ）樹脂で形成され、平面部４５、環状壁４６および一対の係止片４７，４７からなっている。なお、包囲体４４の光拡散性は、フレネルレンズ３６による色むらを低減できる程度のものであればよい。
【００６６】
平面部４５は、円形状であって、その外面４５ａおよび内面４５ｂがそれぞれ平面状に形成されており、包囲体５と同様にして、その内面４５ｂにフレネルレンズ３６が形成されている。フレネルレンズ３６は、平面部４５の円形状の中心４５ｃを中心として同心円状となるように複数個形成され、平面部４５の内面４５ｂの面積が包囲体５の平面部３１の内面３１ｂの面積よりも大きい分、その数量が多くなっている。すなわち、平面部４５のフレネルレンズ３６の形成領域３６ｅは、図２に示す平面部３１の形成領域３６ｄよりも大きいものである。
【００６７】
環状壁４６は、平面部４５の外周縁に沿って平面部４５の内面４５ｂから起立し、その起立長が小さくなるように形成されたものである。環状壁４６は、平面部４５を変形に対して強固にするとともに、装置本体３の光源部１２の開口部１４側の外周面１２ｃを嵌め込んで、発光体２からの放射光が光源部１２の側壁部１２ｂ側の外方に漏れることを防止するものである。
【００６８】
一対の係止片４７，４７は、平面部４５の内面４５ｂの外周縁側であって、平面部４５の円形状の中心４５ｃを中心とする１８０°回転対称の位置において、平面部３１に対してほぼ直角に起立して設けられ、先端側に互いに遠ざかる爪部４７ａ，４７ａを有している。
【００６９】
また、平面部４５の外面４５ａの外周縁側には、平面部４５の中心４５ｃを中心とする１８０°回転対称の位置において、複数個の突起３８が設けられている。突起３８は、包囲体４４を手で光源部１２の開口部１４側の外周面１２ｃに嵌め込ませるときの滑り止めとして機能する。
【００７０】
包囲体４４は、環状壁４６が光源部１２の開口部１４側の外周面１２ｃに嵌め込まれ、一対の係止片４７，４７の爪部４７ａ，４７ａが光源部１２の側壁部１２ｂの内面１２ｄに形成された係止凹部３５に係止することにより、発光体２を覆うようにして光源部１２に取り付けられている。
【００７１】
次に、本発明の実施例３の作用について述べる。
【００７２】
発光体２と包囲体４４の平面部４５の間隔（距離）は、図２に示す発光体２と包囲体５の平面部３１の間隔（距離）よりも、包囲体５の側壁部３３の分、小さくなっている。また、平面部４５に形成されたフレネルレンズ３６の形成領域３６ｅは、包囲体５の平面部３１での形成領域３６ｄよりも大きい。したがって、発光体２の発光面２ａから放射された光は、ほぼ平面部４５に形成されたフレネルレンズ３６に入射する。フレネルレンズ３６は、発光体２の放射光が所望の配光を形成するように当該放射光を屈折させる。
【００７３】
そして、フレネルレンズ３６で屈折された放射光は、包囲体４４が光拡散性を有する合成樹脂であるので、光拡散されて平面部４５の外面４５ａから平面部４５の前面側に出射する。出射光は、外方の被照射面や被照射物などを拡散光で所望の配光で照明する。
【００７４】
本実施形態の発光装置４３は、包囲体４４が光拡散性を有する合成樹脂からなり、フレネルレンズ３６が形成されている平面部４５が光拡散性を有するので、フレネルレンズ３６において屈折された放射光を光拡散させて出射することができ、これにより、フレネルレンズ３６による色むらを低減することができるとともに、包囲体４４側を見上げたときのグレアを低減できるという効果を有する。また、光拡散度合いによっては、フレネルレンズ３６の屈折により形成されるビーム角よりも広くなる方向に所望のビーム角の放射光を出射することが可能である。
【００７５】
なお、包囲体４４は、光拡散性を有する合成樹脂を用いずに、平面部４５の外面４５ａを例えばシボ（凹凸）加工して光拡散性を有するようにしてもよい。
【実施例４】
【００７６】
図５および図６は、本発明の実施例４を示す発光装置であり、図５は概略正面図、図６は概略縦断面図である。なお、図２と同一部分には、同一符号を付す。
【００７７】
図６において、発光装置４８は、電球用ソケットに着脱されるミニクリプトン電球形のＬＥＤ電球であり、発光体４９、装置本体５０、点灯装置５１および包囲体５２を有して構成されている。そして、装置本体５０は、金属ケース５３および樹脂ケース５４に形成されている。
【００７８】
発光体２は、基板５５および半導体発光素子としての発光ダイオード５６を有して形成されている。そして、発光体４９は、基板５５の一面５５ａの側に複数個の発光ダイオード５６を設けている。基板５５は、例えばアルミニウム（Ａｌ）の金属板からなり、両面５５ａ，５５ｂが平面状であって、外形が例えば略四角形状に形成されている。
【００７９】
発光ダイオード５６は、例えば青色光を発するＬＥＤチップ５７を有し、このＬＥＤチップ５７がＣＯＢ（Chip  On  board）方式によって基板５５に実装されている。すなわち、ＬＥＤチップ５７が基板５５の一面５５ａに図示しない高熱伝導性を有する絶縁層を介して実装され、このＬＥＤチップ５７をドーム状に覆って封止する例えばシリコーン樹脂などの封止樹脂５８が形成されている。封止樹脂５８には、ＬＥＤチップ５７からの青色光の一部により励起されて黄色光を放射する黄色蛍光体が混入されている。したがって、封止樹脂５８の表面が発光ダイオード５６の発光面となり、この発光面から白色光が放射される。
【００８０】
また、発光ダイオード５６は、その複数個が平面状に設けられるとともに基板５５の一面５５ａの側に密集するように実装されており、個々の発光ダイオード５６の封止樹脂５８の表面および発光ダイオード５６，５６の間が発光体４９の発光面４９ａとなっている。
【００８１】
そして、基板５５は、その他面５５ｂに放熱板５９を取り付けている。放熱板５９は、高熱伝導性を有する金属板例えばアルミニウム（Ａｌ）板からなり、例えば円形に形成され、高熱伝導性の接着材により基板５５に固着されている。放熱板５９は、ＬＥＤチップ５７の点灯（発光）に伴って発生した熱が基板５５から伝熱され、当該熱を装置本体５０の金属ケース５３に伝熱させる。
【００８２】
装置本体５０は、金属ケース５３および樹脂ケース５４からなっている。金属ケース５３は、高熱伝導率を有する金属材料からなり、他端側５３ｂから一端側５３ａに向かって拡径するように形成されている。ここでは、金属ケース５３は、アルミニウム（Ａｌ）により形成されている。
【００８３】
また、金属ケース５３は、外面５３ｃに一端側５３ａから他端側５３ｂの方向に沿った複数の放熱フィン６０が放射状に突出形成されている。そして、一端側５３ａの上面には、放熱板５９が面接触して取り付けられる平面状の発光体４９の取付け部６１が形成されているとともに、包囲体５２を取り付ける環状の包囲体取付部６２が取付け部６１よりも外方に突出するように形成されている。この包囲体取付部６２は、装置本体５０の最大外径部となっている。
【００８４】
そして、取付け部６１の中央部には、取付け部６１から他端側５３ｂの外面５３ｃに貫通する貫通孔６３が形成されている。この貫通孔６３は、取付け部６１から他端側５３ｂに向かうにつれ次第に縮径する先細りの略円錐台状に形成されている。そして、取付け部６１の貫通孔６３の縁部には、四角状の嵌合凹部６４が形成されている。嵌合凹部６４は、貫通孔６３の周回に等間隔に複数個が形成されている。また、取付け部６１には、放熱板５９をねじ止めするための図示しないねじ孔が複数個形成されている。さらに、取付け部６１には、包囲体取付部６２の周壁部に沿う環状の溝６５が形成されている。
【００８５】
取付け部６１には、図示しないねじ孔に放熱板５９を介して図示しないねじが螺着されることにより、放熱板５９が取り付けられている。ここで、放熱板５９は、貫通孔６３を塞ぐとともに、嵌合凹部６４に被さる大きさに形成されている。すなわち、取付け部６１には、放熱板５９を介して発光体４９の基板５５の他面５５ｂが取り付けられて、発光体４９が取り付けられている。このように、金属ケース５３は、その一端側５３ａに発光体４９の基板５５を取り付けている。なお、放熱板５９は、嵌合凹部６４の全域を被さる大きさに形成されていることが好ましいが、嵌合凹部６４の一部に被さる大きさに形成されていてもよい。
【００８６】
また、取付け部６１の溝６５には、発光体４９および放熱板５９を包囲する取付板６６が嵌合されている。取付板６６と包囲体取付部６２の周壁部との間には、隙間６７が形成されている。取付板６６の上面と包囲体取付部６２の上面は、ほぼ同一面状となっている。
【００８７】
放熱フィン６０は、金属ケース５３の他端側５３ｂから一端側５３ａへと径方向の突出量が大きくなるように滑らかに傾斜して形成されている。また、放熱フィン６０は、図５に示すように、金属ケース５３の周方向に互いに略等間隔で放射状に形成され、放熱フィン６０，６０間に間隙６８が形成されている。間隙６８は、金属ケース５３の他端側５３ｂおよび周囲へ向けて開口され、金属ケース５３の一端側５３ａでは閉塞されている。放熱フィン６０および間隙６８の一端側には、環状の包囲体取付部６２が形成されている。金属ケース５３は、例えばアルミダイキャストにより、上述のように成型されたものである。そして、環状の包囲体取付部６２に、包囲体５２が取り付けられている。
【００８８】
図６において、包囲体５２は、装置本体５０の金属ケース５３の一端側５３ａに、発光体４９を覆うように取り付けられている。包囲体５２は、透光性を有する例えばポリカーボネート（ＰＣ）樹脂からなり、平面部６９および環状の側壁部７０を有する略皿状に形成されている。そして、平面部６９の内面６９ｂにフレネルレンズ３６が形成されている。
【００８９】
平面部６９は、その大きさが装置本体５０の最大外径部よりも幾分小さい円形状であって、その外面６９ａおよび内面６９ｂが平面状に形成されている。環状の側壁部７０は、平面部６９の縁部（外周縁）に外周に亘り平面部６９に対して直角に起立して設けられ、平面部６９よりも大きい肉厚を有するように形成されている。そして、環状の側壁部７０の平面には、包囲体取付部６２および取付板６６の間の隙間６７に嵌合される嵌合部７１が形成されている。包囲体５２は、その嵌合部７１が前記隙間６７に嵌合されているとともに、接着材などで固定されている。こうして、包囲体５２は、発光体４９を覆うように金属ケース５３の一端側５３ａに取り付けられており、環状の側壁部７０は、平面部６９を発光体４９に正対させるとともに、平面部６９と発光体４９とを所定の間隔（距離）に規制している。
【００９０】
フレネルレンズ３６は、平面部６９の内面６９ｂに図２に示す包囲体５と同様に形成されている。すなわち、平面部６９の円形状の中心６９ｃを中心として同心円状に形成されている。また、フレネルレンズ３６は、発光体４９の発光面４９ａよりも可能な限り大きい領域となるように、平面部６９の内面６９ｂのほぼ全領域に形成されている。
【００９１】
そして、装置本体５０の樹脂ケース５４は、ポリブチレンテレフタレート（ＰＢＴ）樹脂などの電気絶縁性の合成樹脂により形成されている。そして、外周面５４ｃが金属ケース５３の貫通孔６３の内壁面６３ａに近接するようにかつ貫通孔６３の内壁面６３ａに沿う形状に形成されている。すなわち、外周面５４ｃを有する部分が略円錐台状の筒状に形成されている。そして、外周面５４ｃの一端側５４ａの縁部に、外周面５４ｃから外方に突出する嵌合凸部７２が形成されている。この嵌合凸部７２は、所定の厚さを有する例えば四角形に形成され、外周面５４ｃの開口縁部の周回で１８０°間隔で、互いに対向するように２個が形成されているものである。すなわち、嵌合凸部７２は、金属ケース５３の嵌合凹部６４に対応して設けられ、嵌合凹部６４に嵌め込まれている。嵌合凸部７２および嵌合凹部６４が互いに嵌合することにより、樹脂ケース５４は、金属ケース５３の貫通孔６３の内部に配置される。
【００９２】
嵌合凸部７２は、嵌合凹部６４に嵌め込まれる形状や大きさに形成されているとともに、放熱板５９が乗り上げないように形成されている。すなわち、嵌合凸部７２が嵌合凹部６４から取付け部６１に突出しない形状や大きさに形成されている。樹脂ケース５４は、嵌合凸部７２が金属ケース５３の嵌合凹部６４に嵌め込まれ、嵌合凸部７２および嵌合凹部６４が互いに嵌合して相互の回動を規制することにより、金属ケース５３に固定される。
【００９３】
そして、樹脂ケース５４は、外周面５４ｃの他端側５４ｂが金属ケース５３の他端側５３ｂの外面５３ｃから外方に突出しているとともに、他端側５４ｂに有底の円筒状の突出部７３が形成されている。突出部７３の外径は、樹脂ケース５４の他端側５４ｂよりも幾分縮径している。突出部７３には、例えばカシメによりＥ１７形の口金７４が設けられている。このように、装置本体５０は、金属ケース５３の他端側５３ｂに突出部７３を介して口金７４を有している。
【００９４】
また、突出部７３の底板部７５には、溝７６が形成されており、この溝７６に点灯装置５１が支持されている。さらに、底板部７５には、点灯装置５１および口金７４を電気接続する図示しないリード線が挿通される図示しない挿通孔が設けられている。
【００９５】
口金７４は、Ｅ１７形の一般照明電球用のソケットに接続可能なものである。そして、口金７４は、樹脂ケース５４の突出部７３に嵌合されてかしめられて固定されるシェル部７７、このシェル部７７の他端側に設けられる絶縁部７８およびこの絶縁部７８の頂部に設けられるアイレット部７９を有して構成されている。シェル部７７およびアイレット部７９には、図示しないリード線が接続されている。このリード線は、突出部７３の底板部７５に設けられた図示しない挿通孔から樹脂ケース５４の内部に導入されて、点灯装置５１に電気接続されている。
【００９６】
点灯装置５１は、発光体４９の発光ダイオード５６を点灯するものであり、樹脂ケース５４の内部に収納されている。すなわち、装置本体５０の内側に収容されている。そして、点灯装置５１は、回路基板８０およびこの回路基板８０に実装されたトランスＴ１や電子部品８１などの電気部品を有して形成されている。回路基板８０は、ガラスエポキシ材などの合成樹脂板やアルミニウム（Ａｌ）などの金属板からなっている。金属板の場合、絶縁層が形成されて、電気部品が実装されている。そして、樹脂ケース５４の外周面５４ｃが一端側５４ａから他端側５４ｂに向かうにつれ次第に縮径する先細りの略円錐台状に形成されているので、回路基板８０は、一端側８０ａから他端側８０ｂに向かうにつれ段階的に幅狭に形成されている。
【００９７】
そして、回路基板８０は、樹脂ケース５４の底板部７５の溝７６に嵌入されて底板部７５に支持されている。また、回路基板８０には、支持板８２ａ〜８２ｄが取り付けられている。この支持板８２ａ〜８２ｄは、樹脂ケース５４の内壁面５４ｄに接着材により固着されている。こうして、点灯装置５１は、樹脂ケース５４の内部に収納されているとともに、樹脂ケース５４に固定されている。点灯装置５１は、口金７４および発光体４９の基板５５にそれぞれ図示しないリード線で接続されている。
【００９８】
点灯装置５１は、口金７４および図示しないリード線を介して外部電源から給電されて動作し、外部電源の交流電圧を整流平滑して、定電流を発光体４９に供給するように構成されている。発光ダイオード５６のＬＥＤチップ５７は、定電流が供給されることにより点灯（発光）する。そして、発光ダイオード５６から白色光が放射される。
【００９９】
次に、本発明の実施例４の作用について述べる。
【０１００】
発光装置（ＬＥＤ電球）４８は、例えば照明器具のＥ１７形の電球用ソケットに装着される。そして、口金７４に外部電源が給電されると、点灯装置５１が動作し、点灯装置５１から発光体４９の複数個のＬＥＤチップ５７に定電流（電力）が供給される。複数個の発光ダイオード５６は、点灯し、白色光を放射する。
【０１０１】
当該放射光は、発光体４９に正対している包囲体５２の平面部６９の内面６９ｂに入射し、フレネルレンズ３６により平面部６９の中心６９ｃ側に屈折され、略平行なビーム光となって平面部６９の外面６９ａから平面部６９の前面側に放射される。平面部６９から放射されたビーム光は、外方の被照射面や被照射物などを照射する。
【０１０２】
本実施形態の発光装置４８は、発光体４９に正対する平面部６９の内面６９ｂ側に発光体４９の発光面４９ａよりも大きい領域に形成されたフレネルレンズ３６を有する透光性の包囲体５２を具備するので、発光体４９の放射光を平板部６９の円形状の中心６９ｃ側に屈折させて包囲体５２の前面側に放射させることができ、照射面（照射領域）に対する発光体４９の放射光の取出し効率を向上できるとともに、所望の配光を得ることができるという効果を有する。
【０１０３】
そして、発光体２の放射光の配光の制御は、包囲体５２の平面部６９に形成されたフレネルレンズ３６で行うので、包囲体５２の環状の側壁部７０の高さ寸法を抑制することができて、包囲体５２を薄形化することができる。これにより、発光装置を小形化できるという効果を有する。
【０１０４】
なお、装置本体５０は、金属ケース５３および樹脂ケース５４に形成したが、これらを例えばアルミダイキャストにより一体成型してもよい。この場合、装置本体５０と、点灯装置５１および口金７４とを絶縁材等により電気絶縁すればよい。また、装置本体５０は、一端側５３ａおよび他端側５３ｂが同径または略同径の筒状に形成されてもよく、包囲体５２は、装置本体５０の最大外径部よりも径大に形成されていてもよい。
【実施例５】
【０１０５】
図７および図８は、本発明の実施例５を示す照明器具であり、図７は概略斜視図、図８は一部切り欠き概略正面図である。なお、図１と同一部分には、同一符号を付して説明は省略する。
【０１０６】
図７および図８に示す照明器具８３は、天井等に埋設されるダウンライトである。図８において、照明器具８３は、ソケットとしてのソケット装置８４を有する器具本体８５および図１および図２に示す発光装置１を具備して構成されている。
【０１０７】
器具本体８５は、アルミダイキャストによって成型され、下端側８５ａに開口部８６および外方に突出する環状のフランジ部８７を有し、上端側８５ｂに上端側８５ｂを閉塞するとともに平坦状に形成された上板部８８を有する略円筒状の箱体に形成されている。また、器具本体８５の外面８５ｃには、複数の放熱フィンを兼ねる補強片８９，９０などが形成されている。さらに、外面８５ｃの下端側８５ａには、フランジ部８７との間で天井等を挟持する一対の取付けばね９１，９１が設けられている。そして、器具本体８５の内面８５ｄは、例えば白色塗装により反射面に形成されている。
【０１０８】
上板部８８の外面には、天板９２がねじ９３等により取り付けられている。天板９２は、図７に示すように、その下面９２ａに端子台９４を取り付けている。端子台９４には、外部電源からの図示しない電源線およびソケット装置８４に接続される図示しないリード線がそれぞれ接続されている。
【０１０９】
そして、上板部８８の内面には、図８に示すように、ソケット装置８４が図示しないねじにより取り付けられている。ソケット装置８４は、ＧＸ５３形の口金である装置本体３の口金部１３を装着する周知の構成で形成されている。そして、ソケット装置８４に発光装置１が装着されている。発光装置１は、その装置本体３の突出部１７（図示しない。）がソケット装置８４の図示しない挿通孔に挿入され、その一対の接続ピン１８，１８（図示しない。）がソケット装置８４の図示しない一対の接続孔に挿入された後、回動されることにより、ソケット装置８４に固定されるとともに、一対の接続ピン１８，１８がソケット装置８４の図示しない一対の受金に電気接続している。
【０１１０】
端子台９４に外部電源が供給されると、発光装置１のＬＥＤチップ７（図示しない。）が点灯して白色光が放射され、当該白色光が包囲体５から放射される。白色光は、器具本体８５の開口部８６から外方に出射され、被照射面例えば床面を照明する。
【０１１１】
発光装置１は、薄形であり、所望の配光の放射光を放射するので、照明器具８３は、天井等に埋設される奥行き側を小さく形成することができ、被照射面例えば床面を所望の配光で照明できるという効果を有する。
【実施例６】
【０１１２】
図９は、本発明の実施例６を示す照明器具の一部切り欠き概略正面図である。なお、図５と同一部分には、同一符号を付して説明は省略する。
【０１１３】
図９に示す照明器具９５は、図５に示す発光装置（ＬＥＤ電球）４８を使用するダウンライトであり、天井９６に埋設されている。そして、外形が有底の略円筒状に形成された器具本体９７にソケットとしての電球用ソケット９８が配設されている。器具本体９７は、器具本体９７と一体的に設けられているカバー体９９と板バネ１００，１００により、天井９６に挟持されて、天井９６に固定されている。そして、電球用ソケット９８に、発光装置４８が取り付けられている。
【０１１４】
電球用ソケット９８が通電されると、発光装置４８の点灯装置５１（図示しない。）が動作し、発光体４９（図示しない。）の各発光ダイオード５６（図示しない。）に電力が供給される。これにより、複数個の発光ダイオード５６が点灯し、各発光ダイオード５６の包囲体５２から所望の配光例えば略平行なビーム光の白色光が放射される。当該白色光は、カバー体９９の開口１０１から床面側に出射される。
【０１１５】
発光装置４８は、小形化され、発光体４９の放射光の取出し効率が高く、所望の配光の放射光を放射するので、照明器具９５は、小形化が可能であり、床面側を所望の配光でかつ高い照明効率で照明できるという効果を有する。
【符号の説明】
【０１１６】
１，３９，４３，４８…発光装置、  ２，４９…発光体、  ３，５０…装置本体、  ４，５１…点灯装置、  ５，４４，５２…包囲体、  ８３，９５…照明器具、  ８５，９７…器具本体
【図１】
2011253787.tif 000003
【図２】
2011253787.tif 000004
【図３】
2011253787.tif 000005
【図４】
2011253787.tif 000006
【図５】
2011253787.tif 000007
【図６】
2011253787.tif 000008
【図７】
2011253787.tif 000009
【図８】
2011253787.tif 000010
【図９】
2011253787.tif 000011